(57)【要約】【課題】パソコンデスクの抽斗構造を提供する。【解決手段】  パソコンデスクの天板の下方に設置する親子タイプの抽斗ユニットの構造に関する。該抽斗ユニットは一つの親抽斗、子抽斗及び若干のスライドレールセットで構成する。該親抽斗の両側にそれぞれ一組のスライドレールセットを設置してパソコンデスクと連結し、該子抽斗は該親抽斗の内側に位置し、両サイドの外側面及び対応する該親抽斗の内側面に、それぞれ一組のスライドレールセットを設置することで、該親抽斗及び子抽斗が内外に嵌合する抽斗構造を形成する。スペースを節約する構造となり、使用する際の便利性を高める。【選択図】  図４
0003163008.tif 000002
【実用新案登録請求の範囲】
【請求項１】
パソコンデスク及び抽斗ユニットをからなり、
該抽斗はパソコンデスクの天板下方に抽斗ユニットを設け、
該抽斗ユニットは一つの親抽斗及び一つの子抽斗、及び若干のスライドレールセットで構成し、
該親抽斗の両側に一組のスライドレールセットを設置して該パソコンデスクと連結し、
該子抽斗は該親抽斗の内側に位置し、両サイドの外側面及び対応する該親抽斗の内側面にそれぞれ一組のスライドレールセットを設置することで、該親抽斗及び子抽斗の内外に嵌合する構造を形成し、スペースを節約し、より便利に使用できることを特徴とするパソコンデスクの抽斗構造。
【請求項２】
前記スライドレールセットは一つの固定側部材及び移動側部材で構成し、
該パソコンデスクの下方に二枚の接続プレイトを凸設して該抽斗ユニットを連結し、
該二つの第一固定側部材を二枚の接続プレイトに設置し、二つの第一移動側部材は該親抽斗が接続プレイトと対応する外側面に設置し、
二つの第二固定側部材を該親抽斗の内側面に設置し、二つの第二移動側部材はそれぞれ該子抽斗の外側面に設置することにより、内外の親子タイプの構造となることを特徴とする請求項１記載のパソコンデスクの抽斗構造。
【請求項３】
前記二枚の接続プレイトの上縁両端にそれぞれスライドカバー１４を設け、該二本のスライド棒を該スライドカバーに挿入し、
該抽斗ユニットを連結した二枚の接続プレイトは抽斗ユニットと共に該二本のスライド棒に沿って左右に移動して位置調整ができることを特徴とする請求項２記載のパソコンデスクの抽斗構造。
【考案の詳細な説明】
【技術分野】
【０００１】
本考案はパソコンデスクの構造に関し、特にパソコンデスクの抽斗構造に関する。
【背景技術】
【０００２】
現代社会のＥ化の足並みがますます速くなるのにつれ、コンピューターはオフィスから次第に多くの人々の日常生活に浸透し、既に欠かせない生活の一部となっている人もいる。現在販売されているコンピューターは主にデスクトップ型とノート型パソコンの２種類である。ノート型パソコンは価格が高く、メンテナンス費用が比較高いため、ビジネスマンと少数の学生を除き、多くの人は主にデスクトップのパソコンを購入する。一般的なデスクトップパソコンは、モニターとキーボードに本体を設置するデスクが必要となるため、ニーズがますます高くなるパソコン市場の影響を受け、様々なパソコンデスクが案出されるようになり、消費者の様々なニーズに応えられるようになっている。
【０００３】
公知の実用新案第０８６２１５７３７号『パソコンデスクのダブル抽斗構造』は、天板、棚板を含み、天板の底部に左右二本ずつの支え部品を設け、該支え部品にそれぞれ上スライドレールと下スライドレールを結合する。両側の上スライドレールの間に上抽斗を設置し、レール或いは滑車を用いて引き出し、両側の下スライドレールの間に下抽斗を設置し、レール或いは滑車を用いて引き出すことができ、上下のダブル抽斗の構造を形成する。従来技術は上段にキーボード受、下段に収納スペースを具有する抽斗の構造であり、スペースを取る上に、使用する際にも不便であるため、更なる改善が必要であった。
【先行技術文献】
【特許文献】
【０００４】
【特許文献１】台湾実用新案第０８６２１５７３７号明細書
【考案の概要】
【考案が解決しようとする課題】
【０００５】
前記従来技術の欠点を解決するため、本考案は『パソコンデスクの抽斗構造』を提供することを主な課題とする。
【課題を解決するための手段】
【０００６】
前記課題を解決するために、本考案はパソコンデスクの抽斗構造を提供するものである。パソコンデスク及び該デスクの天板下方の抽斗ユニットの部品で構成する。主にパソコンデスクの天板下方に横向きに二本のスライド棒を設置し、該二本のスライド棒は縦方向に二枚の接続プレイト１３と設置する。更に該二枚の接続プレイト１３の別端に該抽斗ユニットを連結する。該抽斗ユニットは一つの親抽斗、子抽斗及び若干のスライドレールセットで構成する。該親抽斗２１はコの字型を呈し、両サイド外側面及び対応する二枚の接続プレイト１３に一組のスライドレールセット２３を設置する。該子抽斗２２は該親抽斗２１の内側に位置し、両サイドの外側面及び対応する親抽斗２１の内側面にそれぞれ一組のスライドレールセット２３を設置する。各スライドレールセット２３は一つの固定側部材と移動側部材で構成する。二つの第一固定側部材２３１を二枚の接続プレイト１３と対応する部分に固定し、二つの第一移動側部材２３２を該親抽斗２１が接続プレイト１３と対応する外側面に設置する。同時に二つの第二固定側部材２３１’をそれぞれ該親抽斗２１の内側面に設置し、二つの第二移動側部材をそれぞれ該子抽斗の外側面に設置するため、親子タイプの抽斗構造となる。該抽斗ユニット２０の構造が更に精巧なものになるほか、組み立て手順を減少し、パソコンデスクに設置してもスペースを占用しないなど、コストを抑え、組み立て効率もアップする。同時に抽斗を便利に引き出すことができ、及び随時ユーザーは該二本のスライド棒の設置により、左右に位置調整ができるなど、使用時の便利性を高める。
即ち本考案は下記の特徴を有する。
（１）パソコンデスク及び抽斗ユニットをからなり、
該抽斗はパソコンデスクの天板下方に抽斗ユニットを設け、
該抽斗ユニットは一つの親抽斗及び一つの子抽斗、及び若干のスライドレールセットで構成し、
該親抽斗の両側に一組のスライドレールセットを設置して該パソコンデスクと連結し、
該子抽斗は該親抽斗の内側に位置し、両サイドの外側面及び対応する該親抽斗の内側面にそれぞれ一組のスライドレールセットを設置することで、該親抽斗及び子抽斗の内外に嵌合する構造を形成し、スペースを節約し、より便利に使用できることを特徴とするパソコンデスクの抽斗構造。
（２）前記スライドレールセットは一つの固定側部材及び移動側部材で構成し、
該パソコンデスクの下方に二枚の接続プレイトを凸設して該抽斗ユニットを連結し、
該二つの第一固定側部材を二枚の接続プレイトに設置し、二つの第一移動側部材は該親抽斗が接続プレイトと対応する外側面に設置し、
二つの第二固定側部材を該親抽斗の内側面に設置し、二つの第二移動側部材はそれぞれ該子抽斗の外側面に設置することにより、内外の親子タイプの構造となることを特徴とする（１）記載のパソコンデスクの抽斗構造。
（３）前記二枚の接続プレイトの上縁両端にそれぞれスライドカバー１４を設け、該二本のスライド棒を該スライドカバーに挿入し、
該抽斗ユニットを連結した二枚の接続プレイトは抽斗ユニットと共に該二本のスライド棒に沿って左右に移動して位置調整ができることを特徴とする（２）記載のパソコンデスクの抽斗構造。
【考案の効果】
【０００７】
本考案は上下のダブル抽斗の設置により、精巧且つ実用的になり、スペースと設置コストを節約するほか、該二本のスライド棒の設置により、左右に位置調整ができるなど、使用時の便利性を高める。
【図面の簡単な説明】
【０００８】
【図１】本考案における立体組立外観図である。
【図２】本考案の親抽斗を引き出した立体外観図である。
【図３】本考案の親抽斗及び子抽斗を引き出した立体外観図。
【図４】本考案の抽斗ユニット構造の拡大立体外観図である。
【図５】本考案の組み合わせ断面図である。
【図６】本考案の抽斗ユニットの使用略図である。
【図７】本考案の抽斗ユニットの第二使用略図である。
【考案を実施するための形態】
【０００９】
図１〜図７に示すのは、本考案のパソコンデスクの抽斗構造である。それに含まれるのはパソコンデスク１０及び該パソコンデスク１０の下方に設置する抽斗ユニット２０で構成する。
【００１０】
該パソコンデスク１０は天板１１を具有し、該天板１１の下方の適切な場所に横向きの二本の平行するスライド棒１２と、縦方向に二枚の接続プレイト１３を設置する。二枚の接続プレイト１３の上縁の両端にそれぞれスライドカバー１４を設け、二本のスライド棒１２を該スライドカバー１４に挿入し、二枚の接続プレイト１３がスライド棒１２によって左右にスライドできる構造にする。
【００１１】
該抽斗ユニット２０は一つの親抽斗２１と子抽斗２２及び若干のスライドレールセット２３で構成する。該親抽斗２１はコの字型を呈し、内側に一つの収納スペースを具有し、そこに子抽斗２２を設置する。該親抽斗の両サイド外側面及び対応する二枚の接続プレイト１３に一組のスライドレールセット２３を設置する。該子抽斗２２は一般の抽斗構造であり、該親抽斗２１の内側に位置し、両サイドの外側面及び対応する親抽斗２１の内側面にそれぞれ一組のスライドレールセット２３を設置する。該親抽斗２１及び子抽斗２２は各自引き出すことができ、親子タイプの内外に嵌合する抽斗構造である。
【産業上の利用可能性】
【００１２】
各スライドレールセット２３は一つの固定側部材と移動側部材で構成する。二つの第一固定側部材２３１を二枚の接続プレイト１３と対応する部分に固定し、二つの第一移動側部材２３２を該親抽斗２１が接続プレイト１３と対応する外側面に設置する。同時に二つの第二固定側部材２３１’をそれぞれ該親抽斗２１の内側面に設置し、二つの第二移動側部材２３２’をそれぞれ該子抽斗２２の外側面に固定するため、該親抽斗２１と子抽斗２２をそれぞれ引き出すことができる。
【００１３】
前記の組み合わせにより、該親抽斗２１及び子抽斗２２は親子タイプの内外に嵌合する抽斗構造を形成する。該抽斗ユニット２０は該二枚の接続プレイト１３と連結することにより、該二本のスライド棒１２に沿って、左右にスライド移動ができるデザインであるため、ユーザーは快適な位置で使用することができる。該抽斗ユニット２０の構造が更に精巧なものになるほか、組み立て手順を減少し、パソコンデスクに設置してもスペースを占用しないなど、コストを抑え、組み立て効率もアップする。同時に抽斗を便利に引き出すことができ、及び随時ユーザーは抽斗ユニット２０を左右にスライドして位置調整ができるなど、使用時の便利性を高める。
【００１４】
また、本考案を使用する際、スライドタイプの抽斗ユニット２０をパソコンデスク１０の下方に設置することで、天板１０の使用スペースが広くなるほか、ユーザーはキーボード(図に未掲載)を該親抽斗２１の上に置き、子抽斗２２には文房具やノート型パソコンなどを入れることができるなど実用性が増す。
【００１５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
１２、スライド棒
１３、接続プレイト
１４、スライドカバー
２０、抽斗ユニット
２１、親抽斗
２２、子抽斗
２３、スライドレールセット
２３１、第一固定側部材
２３１’、第二固定側部材
２３２、第一移動側部材
２３２’、第二移動側部材
【図１】
0003163008.tif 000003
【図２】
0003163008.tif 000004
【図３】
0003163008.tif 000005
【図４】
0003163008.tif 000006
【図５】
0003163008.tif 000007
【図６】
0003163008.tif 000008
【図７】
0003163008.tif 000009